(57)【要約】【課題】収納の機能を有する引き出し本体部をキャビネットから引き出した状態で、作業用テーブルとしての機能を必要に応じて付加的に発生可能で、キャビネット自体を設計変更しなくても補助テーブル付き引き出しを設置可能な、簡素な構成の補助テーブル付き引き出しを提供する。【解決手段】補助テーブル付き引き出し２１は、被収納物を収納可能な引き出し本体部３４と、引き出し本体部に設けられ、相対的に水平前後方向に移動可能な補助テーブル３１とを備え、引き出し本体部３４をキャビネット３から引き出した状態で、補助テーブルもキャビネットから引き出して位置決めしこの補助テーブルに被載置物３５を載置可能にしている。【選択図】図３
2007289360.tif 000002
【特許請求の範囲】
【請求項１】
厨房家具のキャビネットに引き出し収納自在に設けられた補助テーブル付き引き出しであって、
水平前後方向に移動可能に前記キャビネットに設けられ収納部に被収納物を収納可能な引き出し本体部と、
この引き出し本体部および前記キャビネットの少なくとも一方に設けられ、所定部位が前記引き出し本体部に対して相対的に水平前後方向に移動可能な補助テーブルとを備え、
前記引き出し本体部を前記キャビネットから引き出した状態で、前記補助テーブルも前記キャビネットから引き出して位置決めしこの補助テーブルに被載置物を載置可能にしたことを特徴とする補助テーブル付き引き出し。
【請求項２】
請求項１に記載の補助テーブル付き引き出しであって、
この補助テーブル付き引き出しは、前記キャビネットの上部の調理台のすぐ下に配置され、
前記引き出し本体部を前記キャビネットから引き出すと、前記補助テーブルの前端部が前記キャビネットの前面とほぼ同じ位置かまたは若干前方に出ることによりこの補助テーブルを引き出し可能であり、
前方に引き出された前記補助テーブルを、保持手段により前記引き出し本体部に係合離脱可能に位置決め保持できるようにしたことを特徴とする補助テーブル付き引き出し。
【請求項３】
請求項１に記載の補助テーブル付き引き出しであって、
前記補助テーブルは、
前記引き出し本体部の上部開口の上方に水平に配置され、この引き出し本体部に対して相対的に水平前後方向に移動可能に前記引き出し本体部または前記キャビネットに設けられ、前方に引き出された状態で位置決め保持可能な第１のテーブル部材と、
ほぼ垂直方向と水平方向との間で揺動可能に前記引き出し本体部または前記第１のテーブル部材に設けられ、水平維持手段により水平方向の姿勢を維持可能な第２のテーブル部材とを備え、
前記引き出し本体部を前記キャビネットから引き出すと、前記第１のテーブル部材の前端部が前記キャビネットの前面とほぼ同じ位置かまたは若干前方に出ることによりこの第１のテーブル部材を前方に引き出し可能であり、
前記第１のテーブル部材は上下方向と左右方向に移動しないように拘束され、前記第２のテーブル部材は前方に引き出されて水平の姿勢を維持しているときには前後方向に移動しないように拘束され、
前記第１のテーブル部材と前記第２のテーブル部材が並んで水平な上面を形成することにより前記被載置物を載置可能にしたことを特徴とする補助テーブル付き引き出し。
【請求項４】
請求項２または３に記載の補助テーブル付き引き出しであって、
この補助テーブル付き引き出しはコンロに設けられたグリルの横で且つ壁面側の幅狭のスペースに配置され、前記引き出し本体部の前記収納部には調味料を収納可能であることを特徴とする補助テーブル付き引き出し。
【請求項５】
請求項３または４に記載の補助テーブル付き引き出しであって、前記第２のテーブル部材は前記第１のテーブル部材とは分離して前記引き出し本体部に設けられていることを特徴とする補助テーブル付き引き出し。
【請求項６】
請求項３または４に記載の補助テーブル付き引き出しであって、
前記引き出し本体部は、前記被収納物の高さより低い高さ寸法を有し、この被収納物の上部部位は前記第１のテーブル部材の内方に収納可能であり、前記第２のテーブル部材は前記第１のテーブル部材に揺動可能に設けられていることを特徴とする補助テーブル付き引き出し。
【請求項７】
請求項１ないし６のいずれかの項に記載の補助テーブル付き引き出しであって、前記補助テーブルの外周縁の全体または一部に凸状縁部を形成したことを特徴とする補助テーブル付き引き出し。
【請求項８】
請求項１ないし７のいずれかの項に記載の補助テーブル付き引き出しを有する厨房家具。
【発明の詳細な説明】
【技術分野】
【０００１】
本発明は、台所に設置されるシステムキッチンなど厨房家具に設けられた補助テーブル付き引き出しおよびこれを有する厨房家具に関する。
【背景技術】
【０００２】
特許文献１（特開平５−６８６１３号公報）には、ワークトップの一側面部に、ワークトップ上面より一段低くしてコンロ上面を配置するとともに、ワークトップとコンロ上面部との境部に位置する立ち上がり面に、コンロ側に引き出し自在な補助テーブルを設けた厨房装置が記載されている。
一方、特許文献２（特開平９−７０３２３号公報）には、システムキッチンなど厨房家具のカウンタートップの直下にスライドレールにより引き出し自在に補助カウンターを収納した引き出し式補助カウンターが記載されている。
【特許文献１】特開平５−６８６１３号公報
【特許文献２】特開平９−７０３２３号公報
【発明の開示】
【発明が解決しようとする課題】
【０００３】
特許文献１に記載の厨房装置では、引き出し自在な補助テーブルは、板状なので被収納物を収納するという収納機能を有しておらず、また、この補助テーブルを設置するために厨房装置のキャビネット自体を設計変更する必要があった。
特許文献２に記載の引き出し式補助カウンター（本発明の補助テーブルに相当）は、引き出されると若干上昇するように傾斜配置され、引き出された状態の補助カウンターがカウンタートップとほぼ面一になるようにしているので、構成が複雑化する傾向があった。
補助カウンターの主要な機能は、食器など被載置物を載置するという機能である。そのため、この補助カウンターには被収納物を収納する機能に関しては重要視していないので、この収納機能はないかまたはあったとしてもごく付随的なものであった。
【０００４】
本発明は、このような課題を解決するためになされたもので、被収納物を収納する機能を有する引き出し本体部を厨房家具のキャビネットから前方に引き出した状態で、作業用テーブルとしての機能を必要に応じて付加的に発生可能であり、また、キャビネット自体を設計変更しなくても補助テーブル付き引き出しを設置可能な、簡素な構成の補助テーブル付き引き出しおよびこれを有する厨房家具を提供することを目的とする。
【課題を解決するための手段】
【０００５】
上述の目的を達成するため、本発明にかかる補助テーブル付き引き出しは、厨房家具のキャビネットに引き出し収納自在に設けられた補助テーブル付き引き出しであって、水平前後方向に移動可能に前記キャビネットに設けられ収納部に被収納物を収納可能な引き出し本体部と、この引き出し本体部および前記キャビネットの少なくとも一方に設けられ、所定部位が前記引き出し本体部に対して相対的に水平前後方向に移動可能な補助テーブルとを備え、前記引き出し本体部を前記キャビネットから引き出した状態で、前記補助テーブルも前記キャビネットから引き出して位置決めしこの補助テーブルに被載置物を載置可能にしている。
好ましい一実施形態として、この補助テーブル付き引き出しは、前記キャビネットの上部の調理台のすぐ下に配置され、前記引き出し本体部を前記キャビネットから引き出すと、前記補助テーブルの前端部が前記キャビネットの前面とほぼ同じ位置かまたは若干前方に出ることによりこの補助テーブルを引き出し可能であり、前方に引き出された前記補助テーブルを、保持手段により前記引き出し本体部に係合離脱可能に位置決め保持できるようにするのが好ましい。
他の好ましい実施形態として、前記補助テーブルは、前記引き出し本体部の上部開口の上方に水平に配置され、この引き出し本体部に対して相対的に水平前後方向に移動可能に前記引き出し本体部または前記キャビネットに設けられ、前方に引き出された状態で位置決め保持可能な第１のテーブル部材と、ほぼ垂直方向と水平方向との間で揺動可能に前記引き出し本体部または前記第１のテーブル部材に設けられ、水平維持手段により水平方向の姿勢を維持可能な第２のテーブル部材とを備え、前記引き出し本体部を前記キャビネットから引き出すと、前記第１のテーブル部材の前端部が前記キャビネットの前面とほぼ同じ位置かまたは若干前方に出ることによりこの第１のテーブル部材を前方に引き出し可能であり、前記第１のテーブル部材は上下方向と左右方向に移動しないように拘束され、前記第２のテーブル部材は前方に引き出されて水平の姿勢を維持しているときには前後方向に移動しないように拘束され、前記第１のテーブル部材と前記第２のテーブル部材が並んで水平な上面を形成することにより前記被載置物を載置可能にするのが好ましい。
たとえば、この補助テーブル付き引き出しはコンロに設けられたグリルの横で且つ壁面側の幅狭のスペースに配置され、前記引き出し本体部の前記収納部には調味料を収納可能である。
また、前記第２のテーブル部材は前記第１のテーブル部材とは分離して前記引き出し本体部に設けられているのが好ましい。
また、前記引き出し本体部は、前記被収納物の高さより低い高さ寸法を有し、この被収納物の上部部位は前記第１のテーブル部材の内方に収納可能であり、前記第２のテーブル部材は前記第１のテーブル部材に揺動可能に設けられている場合であってもよい。
前記補助テーブルの外周縁の全体または一部に凸状縁部を形成するのが好ましい。前記補助テーブル付き引き出しは、システムキッチンなど厨房家具に設けられている。
【発明の効果】
【０００６】
本発明にかかる補助テーブル付き引き出しおよびこれを有する厨房家具は、上述のように構成したので、被収納物を収納する機能を有する引き出し本体部を厨房家具のキャビネットから前方に引き出した状態で、作業用テーブルとしての機能を必要に応じて付加的に発生可能であり、また、キャビネット自体を設計変更しなくても補助テーブル付き引き出しを設置可能な、簡素な構成にすることができる。
【発明を実施するための最良の形態】
【０００７】
本発明における厨房家具は、台所に設置されるキッチン（たとえば、複合厨房家具の一種であるシステムキッチンや流し台）が通常であるが、洗面台，収納庫または他の厨房家具であってもよい。
また、グリルを有するコンロとしては、たとえば、ガスコンロ、またはＩＨ（電磁誘導加熱）クッキングヒーター，ラジエントヒーターもしくはシーズヒーターを用いたコンロがある。
下記の各実施例では、システムキッチンに、第１の実施例，第２の実施例，第２の実施例の変形例のうち少なくとも一つの例にかかる補助テーブル付き引き出しが設けられた場合を示している。
システムキッチンは、壁面に当てて設置されるタイプのものを示したが、いわゆる半島形システムキッチン、対面式システムキッチン、壁面から離れた位置に設置されるいわゆる島形（アイランド形）システムキッチンであってもよい。
【０００８】
下記の各実施例，変形例では、補助テーブル付き引き出しは、厨房家具のキャビネットに引き出し収納自在に設けられている。そして、この補助テーブル付き引き出しは、水平前後方向に移動可能にキャビネットに設けられ収納部に被収納物を収納可能な引き出し本体部と、この引き出し本体部およびキャビネットの少なくとも一方に設けられ、所定部位が引き出し本体部に対して相対的に水平前後方向に移動可能な補助テーブルとを備え、引き出し本体部をキャビネットから引き出した状態で、補助テーブルもキャビネットから引き出して位置決めし補助テーブルに被載置物を載置可能にしている。
これにより、引き出し本体部をキャビネットから引き出した状態で、必要に応じて作業用テーブルとしての機能を付加的に発生可能であり、また、キャビネット自体を設計変更しなくても補助テーブル付き引き出しを設置可能で、この引き出しを簡素な構成にするという目的を実現している。
【実施例】
【０００９】
以下、本発明にかかる実施例を図１ないし図１５を参照して説明する。
図１は、本発明の各実施例，変形例のうち少なくとも一つの例が適用されたシステムキッチンの斜視図である。なお、説明の便宜上、図１中の符号Ｄ1，Ｄ2，Ｄ3，Ｄ4で示す各方向を、それぞれシステムキッチンの左方，右方，前方，後方とする。
【００１０】
図１に示すように、厨房家具としてのシステムキッチン１は台所２に設置されており、このシステムキッチン１に本発明が適用されている。
システムキッチン１は、床面上に設置されたキャビネット３を有しており、キャビネット３には、各種形状，構造の複数の引き出しが、引き出し収納自在に設けられている。キャビネット３は、コンロキャビネット４，一方の調理台キャビネット５，シンクキャビネット６，他方の調理台キャビネット７などが順次並設された構成で、ワークトップ８がキャビネット４〜７の上部を覆って取付けられている。
コンロキャビネット４には、ＩＨクッキングヒーター１１やグリル１２を備えたコンロ１３と、調味料などを収納するいわゆるスパイスボックスである引き出し１４と、コンロ１３の下方に配置された他の引き出し１５，１６などが設けられて、単体としての厨房家具が構成されている。
【００１１】
調理台キャビネット５，７の上部のワークトップ８は、調理台になっている。シンクキャビネット６の上部のワークトップ８には、水栓装置１７やシンク１８が設けられている。
一方の調理台キャビネット５は、調理台のすぐ下部の引き出し２１と、その下方に設けられた引き出し２２，２３を有している。シンクキャビネット６は、水栓装置１７，シンク１８，引き出し２４，２５などを有している。
他方の調理台キャビネット７には、食器洗い乾燥機２６がビルトイン（作り付け）により設けられ、食器洗い乾燥機２６の下方には引き出し２７が設けられているので、他方の調理台キャビネット７は単体としての厨房家具を構成している。
こうしてシステムキッチン１は、単体としての厨房家具が複合した複合厨房家具を構成している。
【００１２】
下記の第１の実施例では、一方の調理台キャビネット５における調理台のすぐ下部の引き出し２１を補助テーブル付き引き出しとした場合を示しており、第２の実施例とその変形例では、コンロキャビネット４における調味料用の引き出し（スパイスボックス）１４を補助テーブル付き引き出しにした場合を示している。
第１の実施例と第２の実施例（または、その変形例）のうち一方の例で示す補助テーブル付き引き出しをシステムキッチン１に適用した場合を示している。なお、第１の実施例と第２の実施例（または、その変形例）の両方の例で示す補助テーブル付き引き出しを、それぞれシステムキッチン１に適用した場合であってもよい。
【００１３】
次に、図２ないし図４に示す第１の実施例について説明する。
この実施例では、一方の調理台キャビネット５において、調理台（ワークトップ８）のすぐ下部の引き出しを補助テーブル付き引き出し２１とした場合を示している。
図２は、補助テーブル付き引き出し２１の補助テーブル３１を引き出す途中のシステムキッチン１の部分斜視図、図３は、補助テーブル３１を使用するときのシステムキッチン１の部分斜視図、図４は、補助テーブル付き引き出し２１の正面断面図である。
【００１４】
図１ないし図４に示すように、システムキッチン１は補助テーブル付き引き出し２１を有しており、補助テーブル付き引き出し２１は、キャビネット３に引き出し収納自在に設けられている。
補助テーブル付き引き出し２１は、水平前後方向（Ｄ3，Ｄ4方向）に移動可能にキャビネット３に設けられ収納部３２に被収納物３３を収納可能な引き出し本体部３４と、引き出し本体部３４およびキャビネット３の少なくとも一方（本実施例では、引き出し本体部３４）に設けられ、所定部位（本実施例では、補助テーブル３１の全体）が引き出し本体部３４に対して相対的に水平前後方向（Ｄ3，Ｄ4方向）に移動可能な補助テーブル３１とを備えている。
そして、引き出し本体部３４をキャビネット３から引き出した状態で、補助テーブル３１もキャビネット３から引き出して位置決めし補助テーブル３１に食器など被載置物３５を載置可能にしている。
これにより、補助テーブル付き引き出し２１は、収納部３２に被収納物３３を収納する機能を有する引き出し本体部３４をキャビネット３から引き出した状態で、被載置物３５を載置するという作業用テーブルとしての機能を必要に応じて付加的に発生可能である。また、キャビネット３自体を設計変更しなくても補助テーブル付き引き出し２１を設置可能で、この引き出し２１を簡素な構成にすることができる。
【００１５】
補助テーブル付き引き出し２１は、キャビネット３の上部の調理台（ワークトップ８）のすぐ下に配置されているので、補助テーブル３１を引き出すと、この補助テーブル３１がワークトップ８（調理台）に近い高さになり、あたかも調理台が広くなったような状態で補助テーブル３１に被載置物３５を載置することができ、使い勝手がよくなる。
引き出し本体部３４をキャビネット３から引き出すと、補助テーブル３１の前端部３６がキャビネット３の前面３７とほぼ同じ位置かまたは若干前方に出ることにより、補助テーブル３１を前方に引き出し可能にしている。その結果、補助テーブル３１に指を掛けて前方に引っ張ればよく、補助テーブル３１の引き出し操作が容易である。
前方に引き出された補助テーブル３１は、保持手段３８により引き出し本体部３４に係合離脱可能に位置決め保持される。これにより、補助テーブル３１を使用するときに補助テーブル３１が引き出し本体部３４に対して相対的に後方に動くことがなくしっかりと位置決めされるので、被載置物３５を安定的に且つ安全な状態で補助テーブル３１に載置することができる。
【００１６】
キャビネット３には一対の受けレール４１が取付けられ、引き出し本体部３４には、この一対の受けレール４１にスライド自在に係合する一対のスライド部材４２が取付けられている。
受けレール４１とスライド部材４２により、引き出し本体部３４をスライド可能に支持するレール機構が構成されている。引き出し本体部３４は、レール機構を介して、キャビネット３に対して水平前後方向（Ｄ3，Ｄ4方向）に自在に移動することができる。
引き出し本体部３４の内方が収納部３２になっており、この収納部３２に被収納物３３を自在に出し入れすることができる。
【００１７】
引き出し本体部３４は平面視で矩形に形成され、補助テーブル３１も、引き出し本体部３４に対応して平面視で矩形に形成され、引き出し本体部３４の上部開口を覆うことができるように配置されている。
補助テーブル３１は、左右方向（Ｄ1，Ｄ2方向）と上下方向に移動しないように拘束され且つ水平前後方向（Ｄ3，Ｄ4方向）にのみ移動可能なように、引き出し本体部３４に支持されている。
補助テーブル３１が引き出し本体部３４に対して相対的に最も後方に位置したときは引き出し本体部３４の上部開口のほとんど全部が開口するので、収納部３２に被収納物３３を出し入れするときに、補助テーブル３１が邪魔になることはない。
また、補助テーブル３１を引き出し本体部３４に対して相対的に最も前方側に移動させたときには、引き出し本体部３４の上部開口のほとんど全部が閉じる。これにより、補助テーブル３１に食器など被載置物３５を置いたとき、たとえば液体やその他の物が溢れた場合であっても、補助テーブル３１が蓋の機能を発揮するので、これら異物が収納部３２内に浸入するのを防止することができる。
【００１８】
なお、補助テーブル３１が引き出し本体部３４に設けられている場合を示したが、補助テーブル３１が、キャビネット３に支持されるか、またはキャビネット３と引き出し本体部３４の両方に支持されるようにしてもよい。
このように補助テーブル３１がキャビネット３に支持される場合には、たとえば、キャビネット３に補助テーブル用受けレールを設け、補助テーブル３１に、補助テーブル用受けレールにスライド自在に係合する補助テーブル用スライド部材を設けて、補助テーブル用レール機構を構成するのが好ましい。この場合、補助テーブル３１が、補助テーブル用レール機構を介して、キャビネット３に対して水平前後方向（Ｄ3，Ｄ4方向）に自在に移動する。
【００１９】
引き出し本体部３４の一方または両方の側面には突出片４３が取付けられ、補助テーブル３１の一方または両方の側部には、突出片４３と係合離脱可能な係合部４４が形成されている。突出片４３と係合部４４により、補助テーブル３１を保持する保持手段３８が構成されている。
補助テーブル３１が引き出し本体部３４に対して前方に引き出されて、係合部４４の溝に突出片４３が係合することにより、補助テーブル３１は引き出し本体部３４に位置決め保持される。これにより、補助テーブル３１を引き出して使用するときに、補助テーブル３１が不意に動いたりすることがなくなって、安定性と安全性が向上する。
【００２０】
補助テーブル３１の表面の全体には、エンボス加工により凹凸模様４５が形成されている。「エンボス加工」は、たとえば、なし地仕上げ，コイニング加工などのように、表面に機械的または化学的処理によって凹凸模様４５を付ける加工を行うことである。
凹凸模様４５が滑り止めの機能を発揮するので、被載置物３５を補助テーブル３１に載置したときの安定性が向上し、また、補助テーブル３１に傷が付くのを防止でき、万一傷が付いてもこの傷が目立たなくなる。
補助テーブル３１の外周縁の全体または一部（本実施例では、全体）に、凸状縁部４６が形成されている。これにより、補助テーブル３１上に載置された被載置物３５が移動しても凸状縁部４６により規制されるので、被載置物３５が補助テーブル３１の縁から落下するのを防止することができる。
【００２１】
補助テーブル付き引き出し２１を使用する場合には、図１に示す状態から、把手４７を持って補助テーブル付き引き出し２１を前方に引き出す。すると、引き出し本体部３４は前方に引き出されるが、補助テーブル３１は、その前端部３６がキャビネット３の前面３７とほぼ同じ位置かまたは若干前方に出た状態で止まっている。
こうして、補助テーブル付き引き出し２１を引き出すことにより、引き出し本体部３４は、その収納部３２に被収納物３３を収納する機能を発揮する。この状態で、引き出し本体部３４の収納部３２に対して被収納物３３を容易に出し入れすることができる。
【００２２】
補助テーブル付き引き出し２１が引き出された状態で、補助テーブル３１を作業用テープルとして使用する場合には、補助テーブル３１の前端部３６がキャビネット３の前面３７とほぼ同じ位置かまたは若干前方に出ているので、この前端部３６に指を掛けて補助テーブル３１を前方に引き出す。
すると、図２に示すように、補助テーブル３１は、引き出し本体３４に対して相対的に前方にスライドする。やがて、補助テーブル３１の係合部４４が引き出し本体３４の突出片４３に係合するので、補助テーブル３１は、係合部４４と突出片４３からなる保持手段３８を介して、引き出し本体部３４に位置決め保持される。
こうすることにより、図３に示すように、補助テーブル３１に被載置物３５を載置できることになり、それまで隠れていた作業用テーブルとしての機能が新たに付加的に発生する。
【００２３】
補助テーブル３１の使用が終了すると、全ての被載置物３５を補助テーブル３１から取り除いた後、補助テーブル３１を後方に移動させれば、引き出し本体部３４の収納部３２に被収納物３３を出し入れすることができる。
補助テーブル３１の使用後、補助テーブル付き引き出し２１を収納するときには、係合部４４と突出片４３が係合したままで補助テーブル付き引き出し２１を後方に移動させてキャビネット３に収納することができる。
こうして収納された補助テーブル付き引き出し２１を使用する場合、引き出し本体部３４が前方に引き出されると、キャビネット３の内部で係合部４４が突出片４３から離脱する。補助テーブル３１はキャビネット３の内部にとどまり、補助テーブル３１の前端部３６が、キャビネット３の前面３７とほぼ同じ位置かまたは若干前方に出るようになっている。
【００２４】
次に、第２の実施例とその変形例について、図５ないし図１５を参照して説明する。
第２の実施例（図５ないし図１３）とその変形例（図１４，図１５）は、システムキッチン１の調味料用の引き出し（スパイスボックス）に本発明を適用して、この引き出しを補助テーブル付き引き出し１４とした場合を示している。
すなわち、システムキッチン１は補助テーブル付き引き出し１４を有しており、第２の実施例にかかる補助テーブル付き引き出し１４と、変形例にかかる補助テーブル付き引き出し１４のいずれか一方が、システムキッチン１に設けられている。
【００２５】
図５ないし図１３は第２の実施例を示す図である。図５は、補助テーブル付き引き出し１４の補助テーブル３１ａを使用するときのシステムキッチン１の部分斜視図、図６は、補助テーブル３１ａを使用しないときの補助テーブル付き引き出し１４の正面断面図、図７は、補助テーブル３１ａを使用するときの補助テーブル付き引き出し１４の正面断面図、図８は、補助テーブル付き引き出し１４の分解斜視図である。
図９ないし図１３は、補助テーブル付き引き出し１４の使用手順を説明するためのシステムキッチン１の部分斜視図である。図９は、引き出し本体部３４ａを引き出した状態を示している。図１０は、補助テーブル３１ａの第１のテーブル部材５１を引き出す途中の状態を示している。図１１は、第１のテーブル部材５１を引き出した状態を示している。図１２は、第２のテーブル部材５２を水平にした状態を示している。図１３は、補助テーブル３１ａを使用中の状態を示している。
【００２６】
図１，図５ないし図１３に示すように、第２の実施例にかかる補助テーブル付き引き出し１４は、キャビネット３に引き出し収納自在に設けられ、コンロ１３のすぐ下部に配置され、被収納物３３として調味料を収納するスパイスボックスとして使用される。
補助テーブル付き引き出し１４は、水平前後方向（Ｄ3，Ｄ4方向）に移動可能にキャビネット３に設けられ収納部３２ａに被収納物３３を収納可能な引き出し本体部３４ａと、引き出し本体部３４ａおよびキャビネット３の少なくとも一方（本実施例では、引き出し本体部３４ａ）に設けられ、所定部位（本実施例では、第１のテーブル部材５１）が引き出し本体部３４ａに対して相対的に水平前後方向（Ｄ3，Ｄ4方向）に移動可能な補助テーブル３１ａとを備えている。
そして、引き出し本体部３４ａをキャビネット３から引き出した状態で、補助テーブル３１ａもキャビネット３から引き出して位置決めし、補助テーブル３１ａに食器など被載置物３５を載置可能にしている。
したがって、収納部３２ａに被収納物３３を収納する機能を有する引き出し本体部３４ａをキャビネット３から引き出した状態で、被載置物３５を載置するという作業用テーブルとしての機能を必要に応じて付加的に発生可能である。また、キャビネット３自体を設計変更しなくても補助テーブル付き引き出し１４を設置可能で、この引き出し１４を簡素な構成にすることができる。
【００２７】
補助テーブル３１ａは、第１のテーブル部材５１と第２のテーブル部材５２を備えている。第１のテーブル部材５１は、引き出し本体部３４ａの上部開口５３の上方に水平に配置され、引き出し本体部３４ａに対して相対的に水平前後方向（Ｄ3，Ｄ4方向）に移動可能に引き出し本体部３４ａまたはキャビネット３（本実施例では、引き出し本体部３４ａ）に設けられ、前方に引き出された状態で位置決め保持可能になっている。
第２のテーブル部材５２は、ほぼ垂直方向（上下方向）と水平方向との間で揺動可能に引き出し本体部３４ａまたは第１のテーブル部材５１（本実施例では、引き出し本体部３４ａ）に設けられ、水平維持手段５４により水平方向の姿勢を維持可能になっている。
【００２８】
引き出し本体部３４ａと第２のテーブル部材５２により、一つのユニットが構成されている。第２のテーブル部材５２は、第１のテーブル部材５１とは分離して引き出し本体部３４ａに設けられている。
これにより、第１のテーブル部材５１のみを、独立して前後方向（Ｄ3，Ｄ4方向）に移動させることができる。たとえば、第２のテーブル部材５２の姿勢とは無関係に、第１のテーブル部材５１を引き出し本体部３４ａに対して前方に移動させれば収納部３２ａに蓋をすることができる。
また、第２のテーブル部材５２を水平にして補助テーブル３１ａを使用中であっても、第１のテーブル部材５１のみを後方に移動させて収納部３２ａの上部開口５３を開ければ、収納部３２ａに被収納物３３を自在に出し入れすることができ、使い勝手がよい。
【００２９】
補助テーブル付き引き出し１４をキャビネット３から引き出すと、第１のテーブル部材５１の前端部３６ａがキャビネット３の前面３７ａとほぼ同じ位置かまたは若干前方に出るので、第１のテーブル部材５１を前方に引き出し可能である。
第１のテーブル部材５１は、上下方向と左右方向（Ｄ1，Ｄ2方向）に移動しないように拘束され、第２のテーブル部材５２は、前方に引き出されて水平の姿勢を維持しているときは、前後方向（Ｄ3，Ｄ4方向）に移動しないように拘束され、第１のテーブル部材５１と第２のテーブル部材５２が並んで水平な上面を形成することにより被載置物３５を載置可能にしている。
したがって、第１のテーブル部材５１と第２のテーブル部材５２をそれぞれ独立して操作することができ、第２のテーブル部材５２を垂直方向に向ければコンパクトになるのでキャビネット３に収納することができる。
また、第２のテーブル部材を水平にすれば、第１のテーブル部材５１と第２のテーブル部材５２が並んで広い上面が形成されて、ここに被載置物３５を載置することができ、それまで隠れていた作業用テーブルとしての機能が新たに付加的に発生する。
【００３０】
キャビネット３には、左右一対の受けレール４８が取付けられている。一対の受けレール４８は、前後方向（Ｄ3，Ｄ4方向）を向いて水平に且つ平行に配置されている。受けレール４８には、スライド部材４９が前後方向（Ｄ3，Ｄ4方向）にスライド自在に係合している。一対のスライド部材４９は、引き出し本体部３４ａの左右両側に取付けられている。
受けレール４８とスライド部材４９により、補助テーブル付き引き出し１４をスライド可能に支持するレール機構が構成されている。補助テーブル付き引き出し１４は、このレール機構を介してキャビネット３に対して前後方向（Ｄ3，Ｄ4方向）に自在に移動することができる。
【００３１】
前方に引き出された第１のテーブル部材５１を、保持手段３８ａにより引き出し本体部３４ａに係合離脱可能に位置決め保持できるようになっている。第１のテーブル部材５１は、左右一対の係合部５６を介して引き出し本体部３４ａに係合し、引き出し本体部３４ａに対して相対的に前後方向（Ｄ3，Ｄ4方向）のみにスライド自在になっており、上下方向と左右方向（Ｄ1，Ｄ2方向）の移動は規制されている。これにより、第１のテーブル部材５１は、スムーズに前後方向（Ｄ3，Ｄ4方向）にスライド可能になる。
第１のテーブル部材５１の前方の側部には、一対の溝状の係合部４４ａが形成されている。引き出し本体部３４ａの前部両側には突出片４３ａが取付けられている。第１のテーブル部材５１が前方に引き出されたとき、係合部４４ａが突出片４３ａに係合するようになっている。係合部４４ａと突出片４３ａにより、保持手段３８ａが構成されている。
前方に引き出された第１のテーブル部材５１は、保持手段３８ａを介して引き出し本体部３４ａに位置決め保持される。これにより、第１のテーブル部材５１をしっかりと保持して、被載置物３５を安定した状態で第１のテーブル部材５１に載置することができる。
第２のテーブル部材５２は、連結部５７を介して引き出し本体部３４ａの側面に揺動可能に支持されている。第２のテーブル部材５２は、垂直方向に向けると引き出し本体部３４ａの側板に沿って折り畳まれた状態になって、補助テーブル付き引き出し１４をキャビネット３に内方に収納可能になる（図６）。
【００３２】
第２のテーブル部材５２の後端部には、突出部５８が、一体的にまたは別体で（本実施例では、一体的に）後方に突出形成されている。これにより、第２のテーブル部材５２が水平方向を向いているときには、突出部５８が、キャビネット３またはグリル１２の前面に当接してストッパーの機能を発揮するので、引き出し本体部３４ａと第２のテーブル部材５２が後方に移動しないように規制される。
また、引き出し本体部３４ａは、受けレール４８とスライド部材４９を有するレール機構により、引き出し本体部３４ａが前方側に移動したときにはそれ以上前方に移動しないように規制されている。これにより、水平の姿勢のときの第２のテーブル部材５２は、前後方向（Ｄ3，Ｄ4方向）に移動しないように拘束されることになる。
【００３３】
水平維持手段５４は、引き出し本体部３４ａと第２のテーブル部材５２とを連結するとともに、第２のテーブル部材５２を水平の姿勢に保持できる機能を有している。
水平維持手段５４は、揺動動作可能なレバー６１と、引き出し本体部３４ａの側板に固定され、レバー６１を揺動可能に支持する本体部側支持部６２と、レバー６１に係合し、第２のテーブル部材５２の裏面に固定されて第２のテーブル部材５２を水平方向に支持可能なテーブル側支持部６３とを有している。
レバー６１と本体部側支持部６２は連結ピン６４により連結され、レバー６１が揺動可能になっている。テーブル側支持部６３には所定形状の係合用長孔６５が形成され、レバー６１の端部に係合する連結ピン６６が、係合用長孔６５内を移動可能に長孔６５に係合している。
長孔６５の一方側には凹部６７が形成され、この凹部６７に連結ピン６６が嵌まり込むことにより、第２のテーブル部材５２を水平方向の姿勢のままで保持可能になっている。レバー６１を下方から手で押せば（矢印Ｂ）、連結ピン６６が凹部６７から外れて係合用長孔６５内を移動し、これにより第２のテーブル部材５２は下方を向くように移動可能になる。
【００３４】
したがって、第２のテーブル部材５２が引き出し本体部３４ａに沿って下方（垂直方向）を向いている状態のとき（図６）、第２のテーブル部材５２を引っ張って水平方向に向けると、レバー６１の連結ピン６６は係合用長孔６５内を移動し、レバー６１の自重により連結ピン６６は凹部６７に嵌まり込む（図７）。なお、このとき、レバー６１を矢印Ｂ1に示す方向に引っ張れば、連結ピン６６が凹部６７内により深く係合する。
これにより、第２のテーブル部材５２は、水平維持手段５４により水平方向の姿勢のままで保持され、第１のテーブル部材５１と第２のテーブル部材５２とが並んで水平な上面を形成するので、被載置物３５を載置することができる。
第２のテーブル部材５２を折り畳むときには、レバー６１を矢印Ｂに示すように下方から押せば、連結ピン６６が凹部６７から離脱して連結ピン６６が係合用長孔６５内を移動可能になる。その結果、第２のテーブル部材５２は、水平方向から揺動して下方（垂直方向）を向いて折り畳まれる（図６）。
【００３５】
次に、補助テーブル付き引き出し１４を使用する手順について説明する。
まず初めに、図９に示すように、把手５０に指をかけて補助テーブル付き引き出し１４をキャビネット３から前方に引き出す。すると、引き出し本体部３４ａと、これに取付けられた第２のテーブル部材５２が前方に引き出され、引き出し本体部３４ａの上部開口５３が開放された状態になる。これにより、引き出し本体部３４ａの収納部３２ａに対して被収納物３３を自在に出し入れすることができ、引き出し本体部３４ａは収納の機能を発揮する。
引き出し本体部３４ａが前方に引き出されると、補助テーブル３１ａの前端部３６ａは、キャビネット３の前面３７ａとほぼ同じ位置かまたは若干前方に出ているので、補助テーブル３１ａを前方に引き出すことが可能になる。
【００３６】
そこで、補助テーブル３１ａを使用する場合には、図１０に示すように、第１のテーブル部材５１の前端部３６ａに指を掛けて、第１のテーブル部材５１を前方に移動させ、図１１に示すように、最も前方側に位置させる。
すると、第１のテーブル部材５１の係合部４４ａが、引き出し本体部３４ａの突出片４３ａに係合するので、第１のテーブル部材５１が、引き出し本体部３４ａに位置決め保持される（図８）。
次いで、下方（垂直方向）を向いて折り畳まれている第２のテーブル部材５２を（図１１）、図１２に示すように水平方向まで揺動させる。すると、水平維持手段５４により、第２のテーブル部材５２は水平方向に支持されるとともにこの姿勢を維持する（図７）。
その結果、第１のテーブル部材５１と第２のテーブル部材５２が、並んで水平な上面を形成することになる。この状態のとき、突出部５８は、キャビネット３に当たるので後方に移動するのを規制するストッパーとしての機能を発揮する。
このとき、レバー６１はその自重によりその連結ピン６６が凹部６７に係合するが、レバー６１を矢印Ｂ1（図７）に示す方向に引っ張れば、連結ピン６６が凹部６７（図６）内により深く係合するので、第２のテーブル部材５２がより安定した状態で水平に保持される。
図１３に示すように、こうして水平な上面を有する補助テーブル３１ａに被載置物３５を載置することができるので、補助テーブル３１ａは、それまで隠れていた作業用テーブルとしての機能を新たに付加的に発生する。
【００３７】
図１４，図１５は、それぞれ図６，図７に相当する図で、第２の実施例の変形例を示す図である。図１４は、補助テーブル３１ｂを使用しないときの補助テーブル付き引き出し１４の正面断面図、図１５は、補助テーブル３１ｂを使用するときの補助テーブル付き引き出し１４の正面断面図である。
なお、上述の第２の実施例と同一または相当部分には同一符号を付してその説明を省略し、異なる部分のみ説明する。
【００３８】
図１４，図１５に示すように、この変形例にかかる補助テーブル付き引き出し１４は、引き出し本体部３４ｂの高さ寸法を浅くし、その分だけ第１のテーブル部材５１ｂの高さ寸法を高くし、第２のテーブル部材５２を第１のテーブル部材５１ｂの側面に設けている。
すなわち、引き出し本体部３４ｂは被収納物３３の高さより低い高さ寸法を有し、被収納物３３の上部部位３３ｃは第１のテーブル部材５１ｂの内方に配置可能であり、第２のテーブル部材５２は、第１のテーブル部材５１ｂに揺動可能に設けられている。
第１のテーブル部材５１ｂを後方に位置させれば、上部部位３３ｃが引き出し本体部３４ｂの上に露出するので、引き出し本体部３４ｂに対して被収納物３３を容易に出し入れすることができ使い勝手がよくなる。
【００３９】
システムキッチン１は補助テーブル付き引き出し１４を有しており、この補助テーブル付き引き出し１４は、キャビネット３に引き出し収納自在に設けられている。補助テーブル付き引き出し１４は、水平前後方向（Ｄ3，Ｄ4方向）に移動可能にキャビネット３に設けられ収納部３２ｂに調味料など被収納物３３を収納可能な引き出し本体部３４ｂと、引き出し本体部３４ｂおよびキャビネット３の少なくとも一方（この変形例では、引き出し本体部３４ｂ）に設けられ、所定部位（この変形例では、第１のテーブル部材５１ｂと第２のテーブル部材５２）が引き出し本体部３４ｂに対して相対的に水平前後方向（Ｄ3，Ｄ4方向）に移動可能な補助テーブル３１ｂとを備えている。
そして、引き出し本体部３４ｂをキャビネット３から引き出した状態で、補助テーブル３１ｂもキャビネット３から引き出して位置決めしこの補助テーブル３１ｂに食器など被載置物３５を載置可能にしている。これにより、第２の実施例にかかる補助テーブル付き引き出し１４と同じ作用効果を奏する。
【００４０】
補助テーブル３１ｂは、第１のテーブル部材５１ｂと第２のテーブル部材５２を備えている。第１のテーブル部材５１ｂと第２のテーブル部材５２により、一つのユニットが構成されている。
第１のテーブル部材５１ｂは、引き出し本体部３４ｂの上部開口５３の上方に水平に配置され、引き出し本体部３４ｂに対して相対的に水平前後方向（Ｄ3，Ｄ4方向）に移動可能に引き出し本体部３４ｂまたはキャビネット３（この変形例では、引き出し本体部３４ｂ）に設けられ、前方に引き出された状態で位置決め保持可能になっている。第１のテーブル部材５１ｂを前方に位置決め保持するために、第２の実施例と同じ構成の保持手段３８ａ（図８）が設けられている。
第２のテーブル部材５２は、ほぼ垂直方向（下方向）と水平方向との間で揺動可能に引き出し本体部３４ｂまたは第１のテーブル部材５１ｂ（この変形例では、第１のテーブル部材５１ｂ）に設けられ、水平維持手段５４により水平方向の姿勢を維持可能になっている。
【００４１】
補助テーブル付き引き出し１４を使用するとき、引き出し本体部３４ｂをキャビネット３から引き出すと、第１のテーブル部材５１ｂの前端部がキャビネット３の前面３７ａ（図９）とほぼ同じ位置かまたは若干前方に出ることにより、第１のテーブル部材５１ｂは前方に引き出し可能になる。
第１のテーブル部材５１ｂは、上下方向と左右方向（Ｄ1，Ｄ2方向）に移動しないように左右一対の係合部５６により拘束されている。第２のテーブル部材５２は、前方に引き出されて水平の姿勢を維持しているときには前後方向（Ｄ3，Ｄ4方向）に移動しないように拘束されている。そのために、第２の実施例と同じ突出部５８（図５）が、第２のテーブル部材５２に形成されている。
第１のテーブル部材５１ｂと第２のテーブル部材５２が並んで水平な上面を形成することにより、被載置物３５を載置することが可能になり、このような構成の補助テーブル３１ｂは、第２の実施例と同じ作用効果を奏する。
【００４２】
第２の実施例および変形例にかかる補助テーブル付き引き出し１４は、コンロ１３に設けられたグリル１２の横で且つ壁面１９側の幅狭のスペースに配置されている。引き出し本体部３４ａ，３４ｂの収納部３２ａ，３２ｂには、被収納物３３として調味料など小さいサイズのものを収納可能になっている。
ところで、このグリル１２の横の幅狭のスペースは利用しにくいスペースであるが、ここをデッドスペースにせず有効活用するために、従来は、いわば消極的な理由でこのスペースに調味料入れの引き出し（スパイスボックス）が設けられていた。
これに対して、本発明では、この調味料入れの引き出しを積極的に利用して補助テーブル付き引き出し１４としてこれをこの幅狭のスペースに配置し、収納機能に加えて、被載置物３５を載置する作業用テーブルとしての機能を新たに付加的に発生可能にしている。
また、補助テーブル３１ａ，３１ｂを使用するときに、すぐ横が壁面１９なので、被載置物３５が壁面１９で保護されることになり、この壁面１９側に落下する恐れはなく、より安定化する。
【００４３】
補助テーブル３１ａ，３１ｂの外周縁の全体または一部（第２の実施例，変形例では、全体）に凸状縁部４６が形成され、また、補助テーブル３１ａ，３１ｂの表面にはエンボス加工により凹凸模様４５（図５）が形成されている。これにより、第１の実施例と同じ作用効果を奏する。
【００４４】
第２の実施例，変形例において、補助テーブル付き引き出し１４は、補助テーブル３１ａ，３１ｂを使用しないときには第２のテーブル部材５２を折り畳んでおけば補助テーブル付き引き出し１４のまわりに突出部分はなくなって通常の引き出しとして使用できるので、調理の邪魔にはならず、使い勝手がよい。
また、補助テーブル３１ａ，３１ｂを広げて使用するときも、この補助テーブル３１ａ，３１ｂは壁面１９のところに位置するので、ユーザーの調理作業中の動線と干渉することはなく、調理の際にユーザーが移動するのに邪魔になることはない。
【００４５】
第１の実施例，第２の実施例，変形例において、補助テーブル３１，３１ａ，３１ｂが、ワークトップ８（調理台）より若干低いがこれに近い高さ位置に位置して作業用テーブルとしての機能を発揮する。したがって、ユーザーは、ワークトップ８（調理台）と補助テーブル３１，３１ａ，３１ｂの両方を使用して、広い作業用スペースで調理を快適且つ効率的に行うことができる。
近年は、台所で調理をするときの作業用スペースが不足気味で、広い作業用スペースが求められていたが、本発明は、補助テーブル３１，３１ａ，３１ｂを「ちょい置きスペース」としても有効に活用することができ、前記要望に応えることができる。
補助テーブル３１，３１ａ，３１ｂは、コンロ１３のすぐ近くに位置している。したがって、補助テーブル３１，３１ａ，３１ｂ上に食器などを置けば、コンロ１３で調理された料理をこの食器にすぐに盛り付けることができ、調理を効率的に行うことができる。
補助テーブル３１，３１ａ，３１ｂは、引き出し本体部３４，３４ａ，３４ｂに設けられているので、受けレールやスライド部材を有する補助テーブル用レール機構は不要であり、補助テーブル付き引き出し１４，２１の構造がさらに簡素化する。
【００４６】
各実施例，変形例において、補助テーブル付き引き出し１４，２１が、キャビネット３に収納されている状態から作業用テーブルとしての機能を新たに発生させるまでに必要なユーザーのアクションについて説明する。
第１の実施例では、引き出し本体部３４を前方に引き、補助テーブル３１を前方に引くという二つのアクションのみでよい。第２の実施例では、引き出し本体部３４ａを前方に引き、第１のテーブル部材５１を前方に引き、第２のテーブル部材５２を水平にするという三つのアクションのみでよい。
第２の実施例の変形例では、引き出し本体部３４ｂを前方に引き、第１のテーブル部材５１ｂと第２のテーブル部材５２を一緒に前方に引き、第２のテーブル部材５２を水平に持ち上げるという三つのアクションのみでよい。
このように、本発明では、簡単なアクションで補助テーブル３１，３１ａ，３１ｂが作業用テーブルとしての機能を発揮する。なお、被収納物３３を出し入れする場合には、引き出し本体部３４，３４ａ，３４ｂを引くという一つのアクションのみで被収納物３３を出し入れ可能な状態にすることができ、操作が簡単である。
【００４７】
以上、本発明の実施例（変形例を含む。以下同じ）を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００４８】
本発明は、台所に設置されるキッチン（たとえば、複合厨房家具の一種であるシステムキッチン）など厨房家具に設けられる引き出しに適用可能である。
【図面の簡単な説明】
【００４９】
【図１】図１ないし図１５は本発明の実施例を示す図で、図１は、各実施例，変形例のうち少なくとも一つの例が適用されたシステムキッチンの斜視図である。
【図２】図２ないし図４は第１の実施例を示す図で、図２は、補助テーブル付き引き出しの補助テーブルを引き出す途中のシステムキッチンの部分斜視図である。
【図３】補助テーブルを使用するときのシステムキッチンの部分斜視図である。
【図４】補助テーブル付き引き出しの正面断面図である。
【図５】図５ないし図１３は第２の実施例を示す図で、図５は、補助テーブル付き引き出しの補助テーブルを使用するときのシステムキッチンの部分斜視図である。
【図６】補助テーブルを使用しないときの補助テーブル付き引き出しの正面断面図である。
【図７】補助テーブルを使用するときの補助テーブル付き引き出しの正面断面図である。
【図８】補助テーブル付き引き出しの分解斜視図である。
【図９】図９ないし図１３は、補助テーブル付き引き出しの使用手順を説明するためのシステムキッチンの部分斜視図で、図９は、引き出し本体部を引き出した状態を示している。
【図１０】第１のテーブル部材を引き出す途中の状態を示している。
【図１１】第１のテーブル部材を引き出した状態を示している。
【図１２】第２のテーブル部材を水平にした状態を示している。
【図１３】補助テーブルを使用中の状態を示している。
【図１４】図１４，図１５は第２の実施例の変形例を示す図で、図１４は、補助テーブルを使用しないときの補助テーブル付き引き出しの正面断面図である。
【図１５】補助テーブルを使用するときの補助テーブル付き引き出しの正面断面図である。
【符号の説明】
【００５０】
１      システムキッチン（厨房家具）
３      キャビネット
１２    グリル
１３    コンロ
１４，２１    補助テーブル付き引き出し
１９    壁面
３１，３１ａ，３１ｂ    補助テーブル
３２，３２ａ，３２ｂ    収納部
３３    被収納物
３３ｃ  被収納物の上部部位
３４，３４ａ，３４ｂ    引き出し本体部
３５    被載置物
３６，３６ａ    前端部
３７，３７ａ    前面
３８，３８ａ    保持手段
４６    凸状縁部
５１，５１ｂ    第１のテーブル部材
５２    第２のテーブル部材
５３    上部開口
５４    水平維持手段
Ｄ1     左方
Ｄ2     右方
Ｄ3     前方
Ｄ4     後方
【図１】
2007289360.tif 000003
【図２】
2007289360.tif 000004
【図３】
2007289360.tif 000005
【図４】
2007289360.tif 000006
【図５】
2007289360.tif 000007
【図６】
2007289360.tif 000008
【図７】
2007289360.tif 000009
【図８】
2007289360.tif 000010
【図９】
2007289360.tif 000011
【図１０】
2007289360.tif 000012
【図１１】
2007289360.tif 000013
【図１２】
2007289360.tif 000014
【図１３】
2007289360.tif 000015
【図１４】
2007289360.tif 000016
【図１５】
2007289360.tif 000017